(57)【特許請求の範囲】
【請求項１】
２つの空間の境界にて開口を形成する縦枠と下枠とを有する建具であって、
前記下枠に見付け方向に沿って設けられ、当該下枠上にて平坦な面をなす平面部を有し、前記２つの空間のうちの一方の空間側から他方の空間側への水の進入を防止する下止水部材と、
前記縦枠に上下方向に沿って設けられ、前記開口の中央側に延出されて前記２つの空間のうちの前記一方の空間側から前記他方の空間側への水の進入を防止する縦止水部と、
を備え、
前記縦止水部は、基端部と先端部とが、見込み方向における位置を異ならせて延出されており、当該縦止水部の下端が前記平面部に当接されており、
前記下止水部材は、前記平面部より前記他方の空間側に、上方に立ち上がった水返し部を有していることを特徴とする建具。
【請求項２】
請求項１に記載の建具であって、
前記縦止水部の前記先端部は、前記平面部上にて前記基端部より、前記一方の空間側に位置していることを特徴とする建具。
【請求項３】
請求項１に記載の建具であって、
前記縦止水部の前記基端部は、前記平面部上にて前記先端部より、前記一方の空間側に位置していることを特徴とする建具。
【請求項４】
請求項１乃至請求項３のいずれかに記載の建具であって、
前記縦止水部は、水平断面において湾曲していることを特徴とする建具。
【請求項５】
請求項１乃至請求項３のいずれかに記載の建具であって、
前記縦止水部は、水平断面において直線状に延出されていることを特徴とする建具。
【請求項６】
請求項１乃至請求項５のいずれかに記載の建具であって、
前記開口を閉塞可能な障子を備えており、
前記下止水部材は、前記障子の前記他方の空間側に設けられ、前記平面部から前記一方の空間側に向かって延出されて前記障子に当接される下シール部を有することを特徴とする建具。
【発明の詳細な説明】
【技術分野】
【０００１】
本発明は、２つの空間の境界にて開口を形成する縦枠と下枠とを有する建具に関する。
【背景技術】
【０００２】
２つの空間の境界にて開口を形成する縦枠と下枠とを有する建具としては、例えば、内方へ突出する戸当り片を有する縦の枠材の戸当り片の端部に切欠を形成し、他方、内方へ突出する戸当り片とタッピングホールとを有する横の枠材の戸当り片の端部を切欠に納めて、横の枠材の端部を縦の枠材の内面に防水シートを介して当接させて結合した建具枠を備えた建具が知られている（特許文献１参照）。この建具枠では、防止シートの一部を延設折曲して縦の枠材の切欠端と横の枠材の先端との間に介在させている。
【先行技術文献】
【特許文献】
【０００３】
【特許文献１】実開昭６１−１１０７８８号公報
【発明の概要】
【発明が解決しようとする課題】
【０００４】
上記のような建具が有する建具枠は、縦の枠材の切欠端と横の枠材の先端との間に介在させた防水シートが折曲された状態で介在されているので、縦の枠材と横の枠材との接合部分において十分な止水性が得られないおそれがあるため、より高い止水性が求められている。
【０００５】
本発明は、かかる課題に鑑みてなされたものであり、その目的とするところは、縦枠と下枠との接合部を、より確実に止水することが可能な建具を提供することにある。
【課題を解決するための手段】
【０００６】
かかる目的を達成するために本発明の建具は、２つの空間の境界にて開口を形成する縦枠と下枠とを有する建具であって、前記下枠に見付け方向に沿って設けられ、当該下枠上にて平坦な面をなす平面部を有し、前記２つの空間のうちの一方の空間側から他方の空間側への水の進入を防止する下止水部材と、前記縦枠に上下方向に沿って設けられ、前記開口の中央側に延出されて前記２つの空間のうちの前記一方の空間側から前記他方の空間側への水の進入を防止する縦止水部と、を備え、前記縦止水部は、基端部と先端部とが、見込み方向における位置を異ならせて延出されており、当該縦止水部の下端が前記平面部に当接されており、前記下止水部材は、前記平面部より前記他方の空間側に、上方に立ち上がった水返し部を有していることを特徴とする建具である。
このような建具によれば、縦枠に上下方向に沿って設けられ、開口の中央側に延出されている縦止水部は、延出されている基端部と先端部とが、見込み方向における位置を異ならせて延出されており、その下端が、下止水部材の平面部に当接されているので、延出されている基端部と先端部との位置が、見込み方向に並ぶ、すなわち見付け方向に沿って形成されている縦止水部の場合より、平面部に当接される面積が大きくなる。このため、縦枠と下枠との接合部を、より確実に止水することが可能である。
また、縦枠の縦止水部が当接されている平面部より他方の空間側に水返し部が設けられているので、たとえ、縦止水部と平面部との当接部を超えて水が浸入したとしても、水返し部にて他方の空間側への水の進入をより確実に防止することが可能である。
【０００７】
かかる建具であって、前記縦止水部の前記先端部は、前記平面部上にて前記基端部より、前記一方の空間側に位置していることが望ましい。  
このような建具によれば、先端部が基端部より、水が進入してくる側に位置しているので、縦枠において縦止水部が延出されている部位と縦止水部との間は、水が進入してくる側が広く、他方の空間側に向かって狭くなっている。このため、縦枠を伝って下に流れる水を縦止水部が延出されている部位と縦止水部との間から、水が進入してくる一方の空間側に確実に排出することが可能である。
【０００８】
かかる建具であって、前記縦止水部の前記基端部は、前記平面部上にて前記先端部より、前記一方の空間側に位置していることとしてもよい。  
このような建具によれば、基端部が先端部より、水が進入してくる側に位置しているので、縦枠において縦止水部が延出されている部位と縦止水部との間には、縦止水部による入り隅部が形成されない。このため、縦止水部の水が進入する側となって、汚れやすい部位が広く開放されているので、清掃しやすい建具を提供することが可能である。
【０００９】
かかる建具であって、前記縦止水部は、水平断面において湾曲していることが望ましい。  
このような建具によれば、縦止水部は、水平断面において湾曲しているので、見付け方向に沿って延出される場合より、確実に当接される面積が大きくなる。このため、より高い止水性を備えることが可能である。
【００１０】
かかる建具であって、前記縦止水部は、水平断面において直線状に延出されていることとしてもよい。  
このような建具によれば、縦止水部は、水平断面において直線状に延出されているので、見付け方向に沿って延出される場合より、確実に当接される面積が大きくなる。このため、より高い止水性を備えることが可能である。
【００１１】
かかる建具であって、前記開口を閉塞可能な障子を備えており、前記下止水部材は、前記障子の前記他方の空間側に設けられ、前記平面部から前記一方の空間側に向かって延出されて前記障子に当接される下シール部を有することが望ましい。  
このような建具によれば、縦止水部の下端が平面部に当接されて、縦枠と下枠との接合部が止水されるばかりでなく、障子と下枠との間から他方の空間側に進入しようとする水も下シール部により止水されるので、より止水性の高い建具を提供することが可能である。
【発明の効果】
【００１３】
本発明によれば、縦枠と下枠との接合部を、容易にかつより確実にシールすることが可能な建具を提供することが可能である。
【図面の簡単な説明】
【００１４】
【図１】本実施形態に係る浴室建具の横断面図である。
【図２】本実施形態に係る浴室建具の出入口側における縦断面図である。
【図３】本実施形態に係る浴室建具の壁部側における縦断面図である。
【図４】下枠シール材と縦止水部との当接部を脱衣室側から見た斜視図である。
【図５】下枠シール材と縦止水部との当接部を浴室側から見た斜視図である。
【図６】縦止水部の変形例を示す平面図である。
【発明を実施するための形態】
【００１５】
以下、本発明の一実施形態に係る建具について図面を参照して説明する。  
本実施形態の建具は、２つの空間である浴室と脱衣室との境界に設けられる浴室建具１であり、例えば、図１に示すように、他方の空間側となる脱衣室側から見て縦骨２０の左側の領域が閉止可能な開口でなる出入口２をなし、右側の領域が壁部３をなして、壁部３の脱衣室側を見付け方向に沿って移動する障子５が、前記出入口２を開閉可能に構成された引き込み戸タイプの建具である。
【００１６】
以下の説明においては、建物等に取り付けられた状態の浴室建具１を脱衣室側から見たときに、上下となる方向を上下方向、左右となる方向を左右方向または見付け方向、浴室内外方向である奥行き方向を見込み方向として示す。また、浴室建具１が備える各部材は、単体の状態であっても建物等に取り付けられた状態にて奥行き方向、左右方向、上下方向となる方向にて方向を特定して説明する。
【００１７】
浴室建具１は、浴室内外の境界に設けられる枠体１０と、枠体１０の脱衣室側の部位にて見付け方向に移動可能に設けられ、枠体１０における見付け方向の約半分の領域を開閉自在に設けられた障子５と、壁部３側の枠体１０の内周側に設けられる壁面材２１と、を有している。
【００１８】
枠体１０は、アルミニウム製の押出成形部材でなり、図１〜図３に示すように、左右の縦枠１１、１２、上下の横枠１３、１４、及び、左右の縦枠１１、１２のほぼ中央に設けられた縦骨２０と、を有している。縦骨２０は、見込み方向において左の縦枠１１の幅のほぼ半分の幅を有し、一方の空間としての浴室側に設けられており、右の縦枠１２は障子５より脱衣室側にて額縁３３と接合されており、浴室側の部位が、縦骨２０の脱衣室側のほぼ半分の部位と対向している。すなわち、縦骨２０の脱衣室側の部位と右側の縦枠１２の浴室側の部位とは、見込み方向における中央近傍にて、見付け方向に対向するように配置されており、この対向する部位にて端部が支持されて、壁部３の脱衣室側の壁面をなす壁面材２１が設けられている。
【００１９】
左側の縦枠１１は、右側の縦枠１２の脱衣室側と同様に額縁３３と接合された、見込み方向に沿う面を有する縦枠壁部１１ａが、右側の縦枠１２と対向するように設けられており、左の縦枠１１の浴室側においては、縦骨２０の浴室側の部位と対向するように設けられている。また、左の縦枠１１には、障子５が閉じられたときに、縦框（戸先框）６ｂと対向するとともに長手方向に沿って設けられ、出入口２の内周側に突出して止水する縦止水部１５、１６が、障子５の浴室側と脱衣室側とにそれぞれ設けられている。
【００２０】
２つの縦止水部１５、１６は、それぞれ戸先框６ｂに当接される樹脂製の縦シール材５１と、縦枠１１から出入口２の内周側に突出するヒレ状の縦突出片１５ａ、１６ａ及び縦突出片１５ａ、１６ａの先端に設けられて縦シール材５１が嵌合される嵌合部１５ｂ、１６ｂを有する嵌合突部１５ｃ、１６ｃと、を有している。
【００２１】
２つの縦止水部１５、１６が有する縦突出片１５ａ、１６ａは、縦枠壁部１１ａの縦枠壁部１１ａから突出している端部である基端部１５ｄ、１６ｄと嵌合部１５ｂ、１６ｂとが見込み方向における位置を異ならせて延出され、それぞれ基端部１５ｄ、１６ｄと嵌合部１５ｂ、１６ｂとが湾曲する壁面をなしている。２つの縦突出片１５ａ、１６ａのうち、障子５の浴室側に設けられている縦止水部１５は、基端部１５ｄが嵌合部１５ｂより浴室側に位置し、水平断面において脱衣室側に膨らむように湾曲する壁面をなしている。また、脱衣室側に設けられている縦止水部１６は、基端部１６ｄが嵌合部１６ｂより脱衣室側に位置し、水平断面において浴室側に膨らむように湾曲する壁面をなしている。
【００２２】
２つの縦止水部１５、１６が有する嵌合部１５ｂ、１６ｂは、互いに対向する側に開放されており、嵌合部１５ｂ、１６ｂに嵌合された縦シール材５１は互いに対向する方向に突出するように取り付けられる。すなわち、脱衣室側の嵌合突部１６ｃに設けられた縦シール材５１は浴室側に突出し、浴室側の嵌合突部１５ｃに設けられた縦シール材５１は脱衣室側に突出して、それらの間に位置する障子５の戸先框６ｂにそれぞれ当接される。
【００２３】
下枠１４は、躯体(不図示)に支持されるとともに、図２に示すように、脱衣室側の床材３０から浴室側に設けられた防水パン３５に架け渡され、上面に障子５を案内する下レール１４ａが設けられている。
【００２４】
下枠１４は、躯体上に載置される中空部１４ｂと、中空部１４ｂの脱衣室側の壁部１４ｃの上端からビス孔を介して上方に延出された立上部１４ｄと、立上部１４ｄの上縁から脱衣室側に延出され床材の３０の端部を上から覆う床材覆い部１４ｅと、中空部１４ｂの浴室側の壁部１４ｆの上端から浴室側に延出された部位とを有している。立上部１４ｄは、下レール１４ａ上を移動する障子５の下框６ａと見込み方向に間隔を隔てて設けられており、床材覆い部１４ｅの浴室側の縁部には、立上部１４ｄの上端側を共有して下止水部材としての下枠シール材５０が嵌合される下嵌合溝１４ｇが設けられている。
【００２５】
下枠シール材５０は、下枠１４の見付け方向における全域に見付け方向に沿って設けられており、脱衣室側から浴室側に向かってほぼ水平に延出されて障子５に当接される下シール部５０ｂと、下シール部５０ｂより脱衣室側にて上方に立ち上がった水返し部５０ｃと、下シール部５０ｂと水返し部５０ｃとを、上面が平坦な面をなすように連結する平面部としての連結部５０ｄと、連結部５０ｄの下面に設けられ下嵌合溝１４ｇに嵌合される嵌合部５０ａと、を有している。すなわち、下シール部５０ｂと水返し部５０ｃとが連結部５０ｄにて連結されて一体に形成され、下嵌合溝１４ｇに嵌合部５０ａが嵌合されると、連結部５０ｄが床材覆い部１４ｅ上に位置して平坦な面を形成している。下枠シール材５０の連結部５０ｄ及び嵌合部５０ａは、下シール部５０ｂと水返し部５０ｃより硬質な樹脂にて形成されており、図２においては、下枠シール材５０において硬質な部位をグレーにて示している。
【００２６】
本実施形態の浴室建具１は、脱衣室側から見て左側が出入口２をなし、右側が壁部３をなしているので、下枠１４における中空部１４ｂの浴室側の壁部１４ｆの上端から浴室側に延出された部位の形状が、図２、図３に示すように、出入口２側と壁部３側とで相違している。
【００２７】
また、下枠１４は押出成形部材なので、まず断面形状が同一の部材が押出成形された後に、出入口２側と壁部３側とに加工を施して形成されている。押出成形にて形成されて加工が施される前の基材は、中空部１４ｂの浴室側の壁部１４ｆの上端から浴室側に延出された延出部１４ｈと、延出部１４ｈの先端に設けられ防水パン３５に設けられた溝部３５ａに挿入される防水パン係合部１４ｉと、を有している。
【００２８】
延出部１４ｈには、中空部１４ｂの浴室側の壁部１４ｆに近い側にて浴室側が低くなる段部１４ｊが形成されており、段部１４ｊから浴室側に繋がった部位には、見付け方向に沿って設けられ上方に向かって突出されて上端部に、壁部３に設けられて脱衣室側の壁面を形成する壁面材２１が支持される面材支持部１４ｋが形成されている。
【００２９】
面材支持部１４ｋの浴室側には、下方に凹設されて後述する樹脂製のカバー部材１７が嵌合される嵌合溝１４ｌが見付け方向に沿って形成されている。基材は、出入口２側では面材支持部１４ｋが基端から、ほぼ平坦になるように切除され、壁部３側では嵌合溝１４ｌを形成する部位を残して浴室側の部位が切除されて下枠１４が形成されている。そして、出入口２側には、面材支持部１４ｋを切除した切除面を覆うとともに段部１４ｊの脱衣室側と浴室側とを繋ぐ傾斜面を備えたカバー部材１７が嵌合溝１４ｌに嵌合されている。このため、下枠１４の出入口２側は、立上部１４ｄより浴室側の表面が、浴室側に向かって高さが低くなるような傾斜を有している。カバー部材１７は、出入口２側のみに設けられている。
【００３０】
障子５は、矩形状に框組みされたアルミニウム製の框体６と、框体６の内周側に設けられた透光性を有する面材７とを有している。框体６が有する下框６ａは、下方に開放されている。下框６ａの内部には、レール１４ａに案内されるガイド部材（不図示）と、下框６ａの浴室側に設けられてレール１４ａに当接され浴室側から進入する水をシールする框内シール材５５が設けられている。
【００３１】
障子５が閉じられたときに左側の縦枠１１と係合する戸先框６ｂには、左側の縦枠１１に上下方向に沿って設けられた縦シール材５１が戸先框６ｂの全長にわたって当接される。また、障子５が閉じられたときに縦骨２０側に位置する縦框６ｃは、障子５が閉じられたときに互いに対向するとともに互いに引き寄せるように係合する。そして、縦骨２０の脱衣室側の面に上下方向に沿って設けられた縦骨シール材５３が浴室側の障子５の縦框６ｃにその全長にわたって当接される。
【００３２】
そして、左の縦枠１１と下枠１４とは、下枠１４の左側の縁部にシール材５４が設けられ、嵌合溝１４ｌに下枠シール材５０が取り付けられた状態にて、下枠１４の左側の縁が、左側の縦枠１１の縦止水部１５、１６より下の縦枠壁部１１ａに当接されている。また、図４、図５に示すように、左側の縦枠１１の、脱衣室側の縦止水部１６、すなわち、縦突出片１６ａと嵌合部１６ｂとを有する脱衣室側の嵌合突部１６ｃと縦シール材５１の下端が下枠シール材５０の連結部５０ｄ上に当接されてビスにて固定されている。
【００３３】
本実施形の浴室建具１によれば、縦枠１１に上下方向に沿って設けられ、障子５の脱衣室側に位置して、出入口２の中央側に延出されている縦止水部１６は、延出されている基端部１６ｄと先端部の嵌合部１６ｂとが、見込み方向における位置を異ならせて延出されており、その下端が、下枠シール材５０の連結部５０ｄに当接されているので、基端部と嵌合部との位置が、見込み方向に並ぶ、すなわち見付け方向に沿って形成されている場合より、連結部５０ｄに当接される面積が大きくなる。このため、縦枠１１と下枠１４との接合部を、より確実に止水することが可能である。
【００３４】
また、下枠シール材５０、縦シール材５１、シール材５４がいずれも折り曲げられることなく取り付けられるので、空隙が生じにくい。このため、枠組みするだけで、容易に高い止水性を備えることが可能である。
【００３５】
また、脱衣室側の縦止水部１６の嵌合部１６ｂが基端部１６ｄより、水が進入してくる浴室側に位置しているので、縦枠１１において縦止水部１６が延出されている基端部１６ｄ側となる縦枠壁部１１ａと縦止水部１６との間は、浴室側が広く、脱衣室側に向かって狭くなっている。このため、縦枠１１の縦突出片１６ａを伝って下に流れる水を縦枠壁部１１ａと縦止水部１６との間から、浴室側に確実に排出することが可能である。
【００３６】
また、下枠シール材５０の連結部５０ｄ上に当接される脱衣室側の縦止水部１６は、水平断面において浴室側に膨らむように湾曲するように延出されている。このため、縦止水部が見付け方向に沿って延出されている場合より、確実に下枠シール材５０に当接される面積が大きくなるので、より確実に止水することが可能である。
【００３７】
また、下枠シール材５０は、縦シール材５１の下端が当接される連結部５０ｄから浴室側に向かって延出されて、閉じた障子５の下框６ａに当接される下シール部５０ｂを有しているので、縦枠１１と下枠１４との接合部が、縦シール材５１と連結部５０ｄとで止水されるばかりでなく、障子５と下枠１４との間から脱衣室側に進入しようとする水も下シール部５０ｂにより止水される。このため、より止水性の高い建具１を提供することが可能である。
【００３８】
また、下枠シール材５０は、連結部５０ｄより脱衣室側に、上方に立ち上がった水返し部５０ｃを有しているので、たとえ、縦シール材５１と連結部５０ｄとが当接している部分を超えて水が浸入したとしても、水返し部５０ｃにて脱衣室側への水の進入をより確実に防止することが可能である。
【００３９】
上記実施形態においては、下枠シール材５０上に当接している縦止水部１６の縦突出片１６ａが、水平断面において浴室側に膨らむように湾曲している例について説明したが、縦突出片は、水平断面において直線状に延出されていても構わない。この場合には、見付け方向に対して斜めに延出されている部位が連結部５０ｄ上に当接される。このため、見付け方向に沿って延出される場合より、確実に当接される面積が大きくなるので、より確実に止水することが可能である。
【００４０】
また、上記実施形態においては、縦止水部１６の基端部１６ｄが、連結部５０ｄ上において先端側である嵌合部１６ｂより脱衣室側に位置する例について説明したが、図６に示すように、基端部１６ｄが、連結部５０ｄ上にて嵌合部１６ｂより浴室側に位置していてもよい。この場合には、基端部１６ｄが嵌合部１６ｂより浴室側に位置しているので、縦枠１１の縦枠壁部１１ａと縦止水部１６との間には、縦止水部１６による入り隅部が形成されない。このため、縦止水部１６の水が進入する側、すなわち浴室側となって、汚れやすい部位が広く開放されているので、清掃しやすい建具１を提供することが可能である。
【００４１】
上記実施形態においては、建具を浴室に用いた例について説明したが、浴室に限るものではない。例えば屋内外の境界部分に設けられる建具であってもよい。この場合には、上記実施形態における浴室側が屋外側となる。
【００４２】
上記実施形態においては、縦止水部１６が、縦突出片１６ａ及び嵌合部１６ｂでなる嵌合突部１６ｃと、嵌合部１６ｂに嵌合された縦シール材５１にて構成されている例について説明したが、縦突出片が嵌合部の先端まで延出されており、嵌合部及び縦シール材が設けられていない構成であっても構わない。
【００４３】
また、上記実施形態においては、出入口２を開閉可能な障子５を１枚備えた浴室建具１の例について説明したが、これに限らず、複数枚の障子を備えていても構わない。また、引き込み戸タイプの建具１について説明したが、引き違いタイプの建具であっても構わない。この場合には、左右に設けられる縦枠の各縦止水部の下端が下枠シール材上に当接される。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４５】
１  浴室建具、２  出入口、１０  枠体、１１  縦枠、１４  下枠、
１６  縦止水部、１６ａ  縦突出片、１６ｂ  嵌合部、１６ｃ  嵌合突部、
１６ｄ  基端部、５０  下枠シール材、５０ｂ  下シール部、５０ｃ  水返し部、
５０ｄ  連結部、５１  縦シール材
【図１】
0005808665.tif 000002
【図４】
0005808665.tif 000003
【図５】
0005808665.tif 000004
【図６】
0005808665.tif 000005
【図２】
0005808665.tif 000006
【図３】
0005808665.tif 000007